(57)【要約】【課題】通話時において携帯端末装置の耳元および口元に接近する受話面および向きの自由度を向上できる携帯端末装置を提供する。【解決手段】本発明に係る携帯端末装置は、キー１０およびディスプレイ１１からなる操作面２、およびＩＤ情報が記載されたカード面３を有する矩形の筐体からなるカード型携帯電話機であって、短辺を一辺とする対向する側面にそれぞれマイク１７およびスピーカ１８を備えたものである。【選択図】  図１
2009141603.tif 000002
【特許請求の範囲】
【請求項１】
対向する二つの平面を有する携帯端末装置の筐体と、携帯端末装置の厚さを構成する筐体側面と、
前記筐体側面上のほぼ対向する箇所にそれぞれ配置された二以上の音声入出力部とを備えたことを特徴とする携帯端末装置。
【請求項２】
前記携帯端末装置の二つの平面は、対向する短辺および長辺で構成される矩形であって、
前記音声入出力部は、前記短辺を一辺とする一側面と、この側面にほぼ対向する他側面にそれぞれ設けられたことを特徴とする請求項１記載の携帯端末装置。
【請求項３】
前記音声入出力部は、音声出力部として機能するか、または音声入力部として機能するかがあらかじめ決定していることを特徴とする請求項１記載の携帯端末装置。
【請求項４】
前記音声出力部および音声入力部の少なくとも一方の配置位置の判別を視覚的または触覚的に行う判別手段を設けたことを特徴とする請求項３記載の携帯端末装置。
【請求項５】
音声通話時において、音声入力部として機能する音声入出力部から入力された音声信号に基づく音声の大小を認識する音声認識部と、
全ての前記音声入出力部が、前記音声入力部として機能し音声入力可能状態となった場合、前記音声入出力部から入力された音声信号に基づく音声の大小を前記音声認識部が認識し、他の前記音声入出力部から入力された音声よりも大きい音声が認識された前記音声入出力部を音声入力部として機能させ、それ以外の前記音声入出力部を音声出力部として機能させる切替手段とをさらに備えたことを特徴とする請求項１または２記載の携帯端末装置。
【請求項６】
音声通話時において、音声入出力部の相対位置情報を認識する相対位置認識部と、
前記相対位置認識部で認識された前記音声入出力部の相対位置情報から、前記音声入出力部が音声出力部および音声入力部のいずれに用いられたかを判定し、この判定結果に基づき前記音声入出力部を音声出力部および音声入力部のいずれか一方として機能させる切替手段をさらに備えたことを特徴とする請求項１、２および５のいずれかに記載の携帯端末装置。
【請求項７】
音声着呼時、携帯端末装置に備えられる二以上の音声入出力部の少なくとも一つから着信音を出力するステップと、
前記携帯端末装置に対し応答処理が行われた場合、前記二以上の音声入出力部は音声出力部として機能し通話相手の音声を出力するステップと、
前記二以上の音声入出力部が音声入力部として機能し音声入力可能状態となった場合、前記音声入出力部から入力された音声信号に基づく音声の大小を認識するステップと、
認識された前記音声入出力部から入力された音声信号に基づく音声の大小に応じて、他の前記音声入出力部から入力された音声よりも大きい音声が認識された前記音声入出力部を音声入力部として機能させ、それ以外の前記音声入出力部を音声出力部として機能させるステップとからなることを特徴とする携帯端末装置の音声入出力制御方法。
【請求項８】
音声着呼時、携帯端末装置に備えられる二以上の音声入出力部の少なくとも一つから着信音を出力するステップと、
前記携帯端末装置に対し応答処理が行われた場合、前記二以上の音声入出力部は音声出力部として機能し通話相手の音声を出力するステップと、
前記音声入出力部の相対位置情報を認識するステップと、
認識された前記音声入出力部の相対位置情報に応じて前記音声入出力部が音声出力部および音声入力部のいずれに用いられたかを判定し、この判定結果に基づき前記音声入出力部を音声出力部および音声入力部のいずれか一方として機能させるステップとからなることを特徴とする携帯端末装置の音声入出力制御方法。
【発明の詳細な説明】
【技術分野】
【０００１】
本発明は、携帯端末装置の音声入出力部の配置構成技術に係り、特に通話時において携帯端末装置の耳元および口元に接近する受話面および向きの自由度を向上できる携帯端末装置および携帯端末装置の音声入出力制御方法に関する。
【背景技術】
【０００２】
通話機能を有する一般的な携帯端末装置である例えば携帯電話機は、筐体の内部に音響変換器としてのマイクおよびスピーカが内蔵されている。マイクは、音声通話時にユーザの音声を集音する。また、スピーカは、電話やメールの着信音などを鳴らしたり、通話時には通話相手の音声などを出力したりする。
【０００３】
従来の携帯電話機のマイクおよびスピーカの配置構成の一例として、例えば特許文献１に示す発明がある。図１２は、特許文献１に示すフリップ式の携帯電話機の構成図であり、（Ａ）は携帯電話機のフリップ部４０を閉じた状態の平面図、（Ｂ）はフリップ部４０を開いた状態の斜視図である。この携帯電話機のマイク４１およびスピーカ４２は、携帯電話機本体４３を構成する同一平面上に設けられており、マイク４１およびスピーカ４２が設けられた平面を耳元および口元に接近させ通話を行うものであった。
【０００４】
また、従来の携帯電話機のマイクおよびスピーカの他の配置構成の例として、特許文献２に示す発明がある。図１３は特許文献２に示す折りたたみ式の携帯電話機が開いた状態の斜視図である。この携帯電話機のマイク４５およびスピーカ４６は、第１の筐体４７および第２の筐体４８を構成する略同一方向を向いた平面上にそれぞれ構成される。通話時には、このマイク４５およびスピーカ４６が設けられた第１の筐体４７および第２の筐体４８の平面を受話面として耳元および口元に接近させ通話を行うものであった。
【特許文献１】特開２００７−９６８４３号公報
【特許文献２】特開平６−６１９１３号公報
【発明の開示】
【発明が解決しようとする課題】
【０００５】
携帯端末装置である携帯電話機の一形態として、例えば通話機能とユーザのＩＤ情報などを用いた証明機能が一体となったカード型携帯電話機が考えられる。
【０００６】
このカード型携帯電話機が、特許文献１および２に示す従来の携帯電話機と異なる点は、小型化、薄型化された点であり、おおむね縦横が８５ｍｍ×５５ｍｍである。
【０００７】
このようなカード型携帯電話機が身分証などの証明証として用いられる際の一例として、社員証として首から提げ、主に社員証としてのＩＤ情報が記載された面が常時見えるように携帯されることが想定される。よって、通話着信時には首から提げられた状態のカード型携帯電話機を耳元および口元に接近させる動作を行い、着呼に対して応答する。
【０００８】
特許文献１および２に示した従来の携帯電話機は、マイクおよびスピーカはほぼ同一面上に配置されているため、着信時に耳元および口元に接近させる受話面は固定され、着信応答時には携帯電話機のマイクおよびスピーカの位置を確認する動作が必要であった。
【０００９】
カード型携帯電話機に従来のマイクおよびスピーカの配置構成を適用した場合、着信応答時においては首から提げられたカード型携帯電話機のマイクおよびスピーカの位置を確認する必要がある。しかし、カード型携帯電話機が首から提げて携帯されるという特性から、着信応答時にはマイクおよびスピーカの位置を意識することなく、またカード型携帯電話機を目視することなく耳元および口元に接近させ、応答着信できることが望ましい。
【００１０】
さらに、カード型であるため従来の携帯電話機のように凹凸がなく、平坦な平面で構成されるため、耳元および口元に接近させる受話面を固定することなく、いずれの面および向きであっても音声通話ができることが望ましい。
【００１１】
本発明はこのような事情を考慮されたもので、音声通話応答時の保持形式の自由度を向上し好適に着信応答できる携帯端末装置および携帯端末装置の音声入出力制御方法を提供することを目的とする。
【課題を解決するための手段】
【００１２】
本発明に係る携帯端末装置は、上述した課題を解決するために、対向する二つの平面を有する携帯端末装置の筐体と、携帯端末装置の厚さを構成する筐体側面と、前記筐体側面上のほぼ対向する箇所にそれぞれ配置された二以上の音声入出力部とを備えたことを特徴とする。
【００１３】
また、本発明に係る携帯端末装置の音声入出力制御方法は、音声着呼時、携帯端末装置に備えられる二以上の音声入出力部の少なくとも一つから着信音を出力するステップと、前記携帯端末装置に対し応答処理が行われた場合、前記二以上の音声入出力部は音声出力部として機能し通話相手の音声を出力するステップと、前記二以上の音声入出力部が音声入力部として機能し音声入力可能状態となった場合、前記音声入出力部から入力された音声信号に基づく音声の大小を認識するステップと、認識された前記音声入出力部から入力された音声信号に基づく音声の大小に応じて、他の前記音声入出力部から入力された音声よりも大きい音声が認識された前記音声入出力部を音声入力部として機能させ、それ以外の前記音声入出力部を音声出力部として機能させるステップとからなることを特徴とする。
【００１４】
また、本発明に係る携帯端末装置の音声入出力制御方法は、上述した課題を解決するために、音声着呼時、携帯端末装置に備えられる二以上の音声入出力部の少なくとも一つから着信音を出力するステップと、前記携帯端末装置に対し応答処理が行われた場合、前記二以上の音声入出力部は音声出力部として機能し通話相手の音声を出力するステップと、前記音声入出力部の相対位置情報を認識するステップと、認識された前記音声入出力部の相対位置情報に応じて前記音声入出力部が音声出力部および音声入力部のいずれに用いられたかを判定し、この判定結果に基づき前記音声入出力部を音声出力部および音声入力部のいずれか一方として機能させるステップとからなることを特徴とする。
【発明の効果】
【００１５】
本発明に係る携帯端末装置および携帯端末装置の音声入出力制御方法は、音声通話応答時における携帯端末装置の保持形式の自由度を向上させることができる。
【発明を実施するための最良の形態】
【００１６】
本発明に係る携帯端末装置および携帯端末装置の音声入出力制御方法の実施形態を添付図面に基づいて説明する。
【００１７】
［第１の実施形態］
図１は、本発明に係る携帯端末装置をカード型携帯電話機に適用した場合の外観図であって、（Ａ）はカード型携帯電話機１の操作面２の外観を示す平面図、（Ｂ）はカード型携帯電話機１の外観を示す側面図である。図２は、カード型携帯電話機１のカード面３の外観を示す平面図である。
【００１８】
カード型携帯電話機１は、対向する短辺および長辺で構成されるほぼ矩形である操作面、カード面および、カード型携帯電話機１の厚さを構成する４つの側面からなる。カード型携帯電話機１の寸法の一例として、おおむね縦横が８５ｍｍ×５５ｍｍである。また、厚さは例えば１ｍｍ前後が考えられるが、これより厚い場合であっても、薄い場合であってもカード型携帯電話機１を構成することができる。
【００１９】
このカード型携帯電話機１は、少なくとも通話機能が備えられている。また、カード型携帯電話機１は、他の機能の一例として身分証などの証明機能を備えており、カード型携帯電話機１を保有するユーザの身分を証明するためのＩＤ情報が記載された住民基本台帳カード、社員証、運転免許証、健康保険証などとしての機能を備えている。この証明機能はＲＦＩＤ（ｒａｄｉｏ  Ｆｒｅｑｕｅｎｃｙ  Ｉｄｅｎｔｉｆｉｃａｔｉｏｎ）用の無線タグを備えており、ＩＤ情報が記憶された非接触ＩＣカードとして用いられる。ＩＤ情報の他にも、電子マネーなどの機能を備えてもよい。
【００２０】
カード型携帯電話機１の操作面２には、その表面に「０」〜「９」の数字キー、発呼キー、終話・電源キー、クリアキー、およびメニューキーなどのキー１０が設けられており、キー１０を用いて各種指示を入力することができる。
【００２１】
また、キー１０の上部には十字キーと確定キーが設けられており、ユーザが十字キーを上下左右方向に操作することで当てられたカーソルを上下左右方向に移動させることができる。具体的には、操作面２に設けられたディスプレイ１１に表示されている電話帳リストや電子メールのスクロール動作などの種々の動作を実行することができる。
【００２２】
また、確定キーを押圧することにより種々の機能を確定することができる。具体的には、ユーザによる十字キーの操作に応じてディスプレイ１１に表示された電話帳リストの複数の電話番号の中から所望の電話番号が選択され、確定キーがカード型携帯電話機１の内部方向に押圧されると、選択された電話番号を確定して電話番号に対して発呼処理を行うことができる。
【００２３】
操作面２にはディスプレイ１１が設けられており、電波の受信状態、電池残量、電話帳として登録されている相手先名や電話番号及び送信履歴等の他、電子メールの内容、簡易ホームページなどを表示することができる。なお、ディスプレイ１１は、例えばＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（ＥｌｅｃｔｒｏＬｕｍｉｎｅｓｃｅｎｃｅ）ディスプレイ、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などから構成される。
【００２４】
図２に示されるように、カード型携帯電話機１のカード面３には、身分証の一例である社員証としてのＩＤカード情報が記載されている。ＩＤカード情報には、カード型携帯電話機１のユーザの名前、社員番号、顔写真、会社名および住所などのＩＤ情報が記載される。また、カード型携帯電話機１は、例えば図３に示すようにネックストラップ４を用いて首から提げる形式で携帯される。ネックストラップ４は、直接カード型携帯電話機１に取り付けるようにしてもいいし、カード型携帯電話機１を収納するケース（図示せず）に取り付けるようにしてもよい。
【００２５】
図４は、カード型携帯電話機１の操作面２を上面にした外観の斜視図であり、（Ａ）はカード型携帯電話機１の一の短辺側面１５側を示した斜視図、（Ｂ）は図４（Ａ）で示した短辺側面１５に対向する短辺側面１６を示した斜視図である。
【００２６】
カード型携帯電話機１の対向する短辺側面のほぼ中央には、音声入出力部としてのマイク１７およびスピーカ１８がそれぞれ備えられる。
【００２７】
図４（Ａ）に示す短辺側面１５のほぼ中央には、音声入力部としてのマイク１７が設けられる。マイク１７は、音声通話時にユーザの音声を集音する。一方、図４（Ｂ）に示す短辺側面１６のほぼ中央には、他の音声出力部としてのスピーカ１８が設けられる。スピーカ１８は、待ち受け時には電話やメールの着信音などを鳴らし、通話時には通話相手の音声などを出力する。
【００２８】
図５は、カード型携帯電話機１の概略的なブロック図である。
【００２９】
カード型携帯電話機１の制御部１９は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部２０からＲＡＭにロードされた各種のアプリケーションプログラムに従って各種の処理を実行するとともに、種々の制御信号を生成し、各部に供給することによりカード型携帯電話機１を統括的に制御する。ＲＡＭは、ＣＰＵが各種の処理を実行する上において必要なデータなどを適宜記憶する。
【００３０】
記憶部２０は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部１９のＣＰＵにより実行される種々のアプリケーションプログラムや種々のデータ群を格納している。
【００３１】
通信部２３は、アンテナ２４を介して所定の基地局との間で電波を用いて無線通信を行うための各種信号処理を行う。音響処理部２５は、マイク１７で集音した音声からアナログ音声信号を生成し、このアナログ音声信号をデジタル信号に変換して通信部２３に伝送する。通信部２３はこのデジタル音声信号をアンテナ２４を介して送信する。また、音響処理部２５は、アンテナ２４を介して受信したデジタル音声信号をアナログ音声信号に変換し、音声通話の際に、スピーカ１８から音声として出力する。
【００３２】
ＲＦＩＤ部２６はＩＣチップなどであって、ＲＦＩＤが保持するデータを格納するメモリや、メモリに格納された人や物の個別情報の読出しを制御するＲＦＩＤ制御部を備える。また、ＲＦＩＤ部２６には、アンテナ２７を介したＵＨＦ帯の無線通信を行うＲＦＩＤ無線部を備え、ＲＦＩＤ部２６は別に設けられたＲＦＩＤリーダにＩＤ情報などのデータを送信する。
【００３３】
コントローラ２９は、ディスプレイ１１に表示される電波の受信状態、電池残量などの種々の画像の表示制御を行う。
【００３４】
電源２２は、電池２１の出力を基に所定の動作電源電圧を生成して各回路部に供給する。また、バイブ２８は、振動することによりユーザに着信などを通知する。
【００３５】
ここで、従来の携帯端末装置である携帯電話機はマイク１７およびスピーカ１８がほぼ同一面上に設けられていたため、通話時に耳元および口元に接近させる受話面は常に１つの面に固定されていた。この受話面とは、図１２または図１３の場合、スピーカ４２および４６が設けられた平面を意味する。
【００３６】
しかし、本実施形態におけるカード型携帯電話機１におけるマイク１７およびスピーカ１８は、対向する一組の側面上に設けられるため、耳元および口元に接近させる受話面が操作面２およびカード面３のどちらの面であっても、ユーザの音声の集音および通話相手の音声の出力が可能である。よって、ユーザは操作面２およびカード面３のいずれの面を耳元および口元に接近させても、音声通話を行うことが可能である。
【００３７】
このため、例えば図３に示すようにネックストラップ４を用いてカード型携帯電話機１が首から提げられた状態であったとしても、着信応答時に耳元および口元に接近させる受話面は固定されずにどちらの面であっても応答できるため、保持形式の自由度が高く、着信応答時には携帯電話機の受話面を確認する動作は不要である。
【００３８】
なお、カード型携帯電話機１は、操作面２側がユーザに向けられている場合にはマイク１７の位置およびスピーカ１８の位置の判別は比較的容易であると考えられる。しかし、カード面３がユーザに向けられており、かつ着信があった場合にはどちらを耳元に向けるかの判別が困難な場合が想定される。
【００３９】
そこで、カード型携帯電話機１のマイク１７の位置およびスピーカ１８の位置の判別を容易に行うため、図６に示すような判別手段を設けてもよい。判別手段は、例えばカード型携帯電話機１の長辺側面であって、スピーカ１８に近接した上部に凹凸部３０を設けることで実現される。
【００４０】
ユーザは、この凹凸部３０によって容易にスピーカ１８の位置およびマイク１７の位置を判別することができる。ユーザは、着信時においては、カード面３がユーザ側に向いていたとしても、カード型携帯電話機１を掴み保持する動作によって凹凸部３０から得られる指の触感や凹凸部３０の目視による確認により、耳元に向けるスピーカ１８の位置を触覚的や聴覚的に判別することができる。
【００４１】
この判別手段としての凹凸部３０は、例えば側面に設けられた溝であってもよいし、キー１０としてのサイドボタンを設けてもよい。また、ＬＥＤ（Ｌｉｇｈｔ  Ｅｍｉｔｔｉｎｇ  Ｄｉｏｄｅ）をマイク１７側の近傍やスピーカ１８側の近傍に設けて判別手段として用いてもよい。
【００４２】
なお、本実施形態においては、マイク１７およびスピーカ１８を、カード型携帯電話機１の短辺側面１５、１６であって、かつ短辺のほぼ中央に設けたが、これに限らず側面上であれば他の配置構成を取ってもよい。例えば、マイク１７を短辺側面１５の角に設け、スピーカ１８を対向する短辺側面１６であって、マイク１７の対角に設けてもよい。マイク１７およびスピーカ１８を対角にそれぞれ設けることで、マイク１７およびスピーカ１８の配置間隔を最長とすることができる。このため、マイク１７を口元に、スピーカ１８を耳元に人間工学の観点から見てより接近させることができ、音声通話状態の向上が可能な点で有効である。
【００４３】
また、カード型携帯電話機１の短辺側面１５、１６にマイク１７とスピーカ１８を設けたが、対向する長辺側面に設けたり、マイク１７を長辺側面に設け、スピーカ１８を短辺側辺に設けたりして構成してもよい。
【００４４】
また、カード型携帯電話機にイヤホン機能を設け通話相手の音声の出力をイヤホンで行うように構成することもできる。イヤホンで通話相手の音声の出力を行う場合には、マイク１７の配置位置を自由に構成することができ、保持形式の自由度をさらに向上させることができ、好適に着信応答を行うことができる。
【００４５】
なお、カード型携帯電話機１の筐体をほぼ矩形として構成したが、これに限らず正方形、多角形、円形や他の形状で構成してもよい。
【００４６】
［第２の実施形態］
本発明に係る携帯端末装置および携帯端末装置の音声入出力制御方法をカード型携帯電話機に適用した第２実施形態を添付図面に基づいて説明する。
【００４７】
第２実施形態におけるカード型携帯電話機が第１実施形態と異なる点は、図４のカード型携帯電話機の短辺側面１５、１６に設けられたマイク１７およびスピーカ１８が、それぞれマイクおよびスピーカの両機能を備えた音声入出力部としてのマイク・スピーカ３１ａ、３１ｂに置き換えられた点である。また、他の異なる点は、音声認識部および相対位置認識部が設けられた点である。
【００４８】
図７は、第２実施形態におけるカード型携帯電話機１の操作面２を上面にした外観の斜視図であり、（Ａ）はカード型携帯電話機１の短辺側面１５を示した斜視図、（Ｂ）は図７（Ａ）で示した短辺側面１５に対向する他の短辺側面１６を示した斜視図である。なお、第１実施形態と対応する構成および部分については同一の符号を付し、重複する説明を省略する。
【００４９】
カード型携帯電話機１の短辺側面１５、１６のほぼ中央にはマイク・スピーカ３１ａ、３１ｂが設けられる。マイク・スピーカ３１ａ、３１ｂは、マイクおよびスピーカの両機能を備えており、待ち受け時、着信時や通話時においてマイクまたはスピーカのいずれかの機能に切り替わるように制御される。
【００５０】
図８は、カード型携帯電話機１の概略的なブロック図である。第１実施形態におけるカード型携帯電話機と異なる点は、音声認識部３５および加速度センサ３６が設けられた点である。
【００５１】
音声認識部３５は、マイク・スピーカ３１ａ、３１ｂがマイクとして機能し音声入力可能状態となった通話時に、ユーザから発せられた音声信号に基づく音声の大小を認識する。音声認識部３５により他方のマイク・スピーカより音声が大きく認識されたマイク・スピーカは、制御部１９によって、ユーザの口元で音声を集音しマイクとして機能したと判別され、以後の通話ではマイクとして機能する。一方、音声認識部３５により他方のマイク・スピーカより音声が小さく認識されたマイク・スピーカは、制御部１９によって、ユーザの耳元に当てられたスピーカとして機能したと判別され、以後はスピーカとして機能する。
【００５２】
加速度センサ３６は、加速度成分を測定する一軸加速度センサであり、上下の軸方向における加速度の変化を感知するセンサである。加速度センサ３６は、着信ボタンを押圧することにより通話開始処理が行われると同時に作動する。加速度センサ３６は、通話が終了するまで継続してカード型携帯電話機１のマイク・スピーカ３１ａ、３１ｂの相対位置関係を認識し、相対位置情報を得る相対位置認識部として設けられる。
【００５３】
例えば、通話開始処理が行われると同時に作動した加速度センサ３６は、ユーザがカード型携帯電話機１を耳元および口元に接近させ保持した場合、カード型携帯電話機１のマイク・スピーカ３１ａ、３１ｂの相対位置関係を認識する。加速度センサ３６によって認識されたマイク・スピーカ３１ａ、３１ｂの相対位置情報より、上方に位置していると認識されたマイク・スピーカは、制御部１９によってユーザの耳元に当てられたスピーカとして機能したと判別され、以後はスピーカとして機能する。一方、下方に位置していると認識されたマイク・スピーカは、制御部１９によってユーザの口元に当てられたマイクとして機能したと判別され、以後はマイクとして機能する。
【００５４】
なお、加速度センサ３６は、通話応答中は継続して作動しており、例えばカード型携帯電話機１が持ち替えられることにより、マイクとして機能したマイク・スピーカとスピーカとして機能したマイク・スピーカが入れ替わった場合、加速度センサ３６はカード型携帯電話機１のマイク・スピーカ３１ａ、３１ｂの相対位置関係を再度認識する。加速度センサ３６による相対位置関係の認識に基づき、制御部１９はマイク・スピーカ３１ａ、３１ｂをそれぞれマイク機能およびスピーカ機能として適切に機能させる。
【００５５】
図９は、音声認識部３５から得られる音声認識情報に基づく、マイク・スピーカ３１ａ、３１ｂのマイク機能およびスピーカ機能の切替処理によるカード型携帯電話機の音声入出力制御方法を時系列に表した図である。
【００５６】
カード型携帯電話機１が着呼信号を受信した場合、制御部１９は、マイク・スピーカ３１ａ、３１ｂのうち少なくとも一方をスピーカとして機能させ、着信音を鳴らす（ステップＳ１）。ユーザがキー１０のうち通話開始処理が割り当てられた着信ボタンを押圧することにより、通話が開始される（ステップＳ２）。通話開始時においては、着呼時と同様に、マイク・スピーカ３１ａ、３１ｂはともにスピーカとして機能する。
【００５７】
通話相手が通話を開始することで、制御部１９は通話相手の音声をマイク・スピーカ３１ａ、３１ｂの両方から出力する（ステップＳ３）。通話相手の会話が切れた時、マイク・スピーカ３１ａ、３１ｂはともにマイクとして機能し、カード型携帯電話機１のユーザから発せられる音声の入力が可能な状態となる（ステップＳ４）。
【００５８】
カード型携帯電話機１のユーザから発せられた音声をマイクとして機能するマイク・スピーカ３１ａ、３１ｂが音声を集音し、音声認識部３５が音声信号に基づく音声の大小を認識する（ステップＳ５）。この時、制御部１９は、マイク・スピーカ３１ｂより大きい音声を認識したマイク・スピーカ３１ａをマイクとして機能させ、マイク・スピーカ３１ａより小さい音声を認識したマイク・スピーカ３１ｂをスピーカとして機能させ、以後の音声通話が継続される。
【００５９】
なお、マイク・スピーカ３１ａ、３１ｂがともにマイクとして機能するステップＳ４で、音声入力可能状態の一例として通話相手の会話が切れた時として説明したが、これに限らず他の状態を音声入力可能状態として、ステップＳ５において音声信号に基づく音声の大小の認識を行ってもよい。
【００６０】
図１０は、加速度センサ３６から得られる相対位置情報に基づく、マイク・スピーカ３１ａ、３１ｂのマイク機能およびスピーカ機能の切替処理によるカード型携帯電話機の音声入出力制御方法を時系列に表した図である。
【００６１】
カード型携帯電話機１が着呼した場合、制御部１９は、マイク・スピーカ３１ａ、３１ｂのうち少なくとも一方をスピーカとして機能させ着信音を鳴らす（ステップＳ１１）。ユーザがキー１０のうち通話開始処理が割り当てられた着信ボタンを押圧することにより通話が開始される。またこれと同時に加速度センサ３６が作動する（ステップＳ１２）。
【００６２】
通話応答時においてユーザがカード型携帯電話機１を耳元および口元に接近させ保持した場合、加速度センサ３６はカード型携帯電話機１のマイク・スピーカ３１ａ、３１ｂの相対位置関係を認識する（ステップＳ１３）。
【００６３】
下方に位置していると認識されたマイク・スピーカ３１ａは、制御部１９によってユーザの口元に当てられたマイクとして機能したと判別され、以後はマイクとして機能する。一方、上方に位置していると認識されたマイク・スピーカは、制御部１９によってユーザの耳元に当てられたスピーカとして機能したと判別され、以後はスピーカとして機能し、以後の音声通話が継続される。
【００６４】
なお、加速度センサ３６は、通話終了時まで継続して作動しており、ユーザによってカード型携帯電話機１が持ち替えられることによりマイク・スピーカのマイクおよびスピーカとしての機能が入れ替わった場合には、制御部１９はその都度マイク・スピーカ３１ａ、３１ｂの機能を適切に切り替えることができる。
【００６５】
このカード型携帯電話機１および携帯端末装置の音声入出力制御方法によれば、カード型携帯電話機１に設けられる音声入出力部として、音声信号に基づく音声の大小およびマイク・スピーカ３１ａ、３１ｂの相対位置情報に応じてマイク機能およびスピーカ機能に切替可能なマイク・スピーカ３１ａ、３１ｂを設けたことで、着信応答時においてはカード型携帯電話機１の保持形式を意識することなく通話を開始することができる。
【００６６】
つまり、このカード型携帯電話機および携帯端末装置の音声入出力制御方法は、操作面２、カード面３のどちらの面も受話面として耳元および口元に接近させ通話を行える上、耳元および口元に接近させる側面についても固定されないためカード型携帯電話機の保持形式の自由度が高く、着信応答時には携帯電話の受話面および向きを意識することなく通話を行うことができる点で有効である。
【００６７】
具体的には、例えば図３のようにネックストラップ４を用いてカード型携帯電話機１が首から提げられた状態であったとしても、着信応答時にはカード型携帯電話機１の受話面および向きを確認する動作は不要であり、カード型携帯電話機１の特徴である小型化、軽量化などに加えて、利便性を向上させることができる。
【００６８】
なお、音声認識部３５および加速度センサ３６は、同時に用いてもいいしどちらか一方のみを用いてもよい。カード型携帯電話機１の保持形式によってはマイクおよびスピーカを判別できない場合、たとえばユーザが横たわった状態にあり、カード型携帯電話機１が水平状態で使用されている場合においては、マイク・スピーカ３１ａ、３１ｂの相対位置情報では判別が困難である。このような場合には、加速度センサ３６に加え、音声認識部３５による判別手段を用いることも有効である。
【００６９】
また、音声認識部３５によって識別された音声信号に基づく音声の大小によってマイク・スピーカ３１ａ、３１ｂの切替処理が行われた後に、ユーザがカード型携帯電話機１を持ち替えたことによりマイクとスピーカとの位置が逆転した場合、マイク、スピーカとしての機能が発揮されない。このような場合には、加速度センサ３６によってマイク・スピーカ３１ａ、３１ｂの相対位置関係を認識することにより、マイク・スピーカの切替処理を行うことが有効である。
【００７０】
なお、カード型携帯電話機１にマイクおよびスピーカの両機能を備えた音声入出力部としてのマイク・スピーカ３１ａ、３１ｂを設けたが、これに限らず、第１実施形態で説明したマイク１７およびスピーカ１８を短辺側面１５および１６にそれぞれ一つずつ設けてもよい。
【００７１】
図１１は、マイク１７およびスピーカ１８を短辺側面１５および１６にそれぞれ一つずつ設けられたカード型携帯電話機１の操作面２の外観を示す平面図である。例えば、着信時において一の短辺側面に設けられたマイク１７およびスピーカ１８が、音声認識部３５などを用いてマイクとして機能したと判別された場合には、制御部１９はスピーカ１８を停止させマイク１７を作動させるなど、制御部１９によって適宜適切な切替処理が行われる。この切替処理は、図９および図１０で説明したマイク機能およびスピーカ機能の切替処理と同様であるため詳しい説明は省略する。
【００７２】
また、加速度センサ３６は、一軸加速度センサを適用したが、二軸または三軸加速度センサを適用してもよい。二軸または三軸加速度センサとすることで、カード型携帯電話機１の左右・前後方向における加速度の変化や傾きを検知することが可能であり、マイク・スピーカ３１ａ、３１ｂなどの相対位置関係を認識し、より詳細な相対位置情報を得ることができる。
【００７３】
なお、マイクおよびスピーカの切替処理に必要な情報として、音声認識部３５および加速度センサ３６から得られる情報を使用したが、これに限らずマイク機能として用いられているマイク・スピーカ、およびスピーカ機能として用いられているマイク・スピーカの判別が可能な他の情報を用いてもよい。
【図面の簡単な説明】
【００７４】
【図１】本発明に係る携帯端末装置の第１実施形態をカード型携帯電話機に適用した外観図であって、（Ａ）はカード型携帯電話機の操作面の外観を示す平面図、（Ｂ）はカード型携帯電話機の外観を示す側面図。
【図２】本発明に係る携帯端末装置の第１実施形態を適用したカード型携帯電話機のカード面の外観を示す平面図。
【図３】カード型携帯電話機の携帯方法の一例を示す図。
【図４】（Ａ）はカード型携帯電話機の第１実施形態における短辺側面を示した斜視図、（Ｂ）は図４（Ａ）で示した短辺側面に対向する他の側面を示した斜視図。
【図５】カード型携帯電話機の第１実施形態における概略的なブロック図。
【図６】カード型携帯電話機の第１実施形態の変形例を示す外観の構成図。
【図７】（Ａ）はカード型携帯電話機の第２実施形態における短辺側面を示した斜視図、（Ｂ）は図７（Ａ）で示した短辺側面に対向する他の側面を示した斜視図。
【図８】カード型携帯電話機の第２実施形態における概略的なブロック図。
【図９】音声認識部から得られる音声認識情報に基づき行われたマイク・スピーカの切替処理を時系列に表した図。
【図１０】加速度センサから得られる相対位置情報に基づき行われたマイク・スピーカの切替処理を時系列に表した図。
【図１１】本発明に係る携帯端末装置の第２実施形態の変形例を適用したカード型携帯電話機の操作面の外観を示す平面図。
【図１２】（Ａ）は従来のフリップ式携帯電話機の外観の平面図、（Ｂ）は従来のフリップ式携帯電話機の外観の斜視図。
【図１３】従来の折りたたみ式携帯電話機の外観の斜視図。
【符号の説明】
【００７５】
１  カード型携帯電話機
２  操作面
３  カード面
４  ネックストラップ
１０  キー
１１  ディスプレイ
１５、１６  短辺側面
１７  マイク
１８  スピーカ
１９  制御部
３０  凹凸部
３１ａ、３１ｂ  マイク・スピーカ
３５  音声認識部
３６  加速度センサ
【図１】
2009141603.tif 000003
【図２】
2009141603.tif 000004
【図３】
2009141603.tif 000005
【図４】
2009141603.tif 000006
【図５】
2009141603.tif 000007
【図６】
2009141603.tif 000008
【図７】
2009141603.tif 000009
【図８】
2009141603.tif 000010
【図９】
2009141603.tif 000011
【図１０】
2009141603.tif 000012
【図１１】
2009141603.tif 000013
【図１２】
2009141603.tif 000014
【図１３】
2009141603.tif 000015